(57)【要約】【課題】  インクを補充可能なインク収容部材を用いてユーザビリティを向上させた場合であっても、水分の蒸発による記録画像や文字の濃さや色合いの変化を抑制することが可能なインクジェット記録装置を提供すること。【解決手段】  インクを吐出する吐出ヘッドと、前記吐出ヘッドを内部に備える筐体と、を有するインクジェット記録装置であって、前記筐体は、インクを収容する第１のインク収容部材及び第２のインク収容部材を内部に備え、前記第１のインク収容部材及び前記第２のインク収容部材から、前記吐出ヘッドにインクが供給され、前記第１のインク収容部材は、栓部材を開けることでインクを補充可能なインク補充口を有さず、インクジェット記録装置に対して着脱可能なインクカートリッジであり、前記第２のインク収容部材は、前記インク補充口を有することを特徴とするインクジェット記録装置。【選択図】  図１
2020168832.tif 000002
【特許請求の範囲】
【請求項１】
インクを吐出する吐出ヘッドと、前記吐出ヘッドを内部に備える筐体と、を有するインクジェット記録装置であって、
前記筐体は、インクを収容する第１のインク収容部材及び第２のインク収容部材を内部に備え、前記第１のインク収容部材及び前記第２のインク収容部材から、前記吐出ヘッドにインクが供給され、
前記第１のインク収容部材は、栓部材を開けることでインクを補充可能なインク補充口を有さず、インクジェット記録装置に対して着脱可能なインクカートリッジであり、
前記第２のインク収容部材は、前記インク補充口を有することを特徴とするインクジェット記録装置。
【請求項２】
前記第１のインク収容部材を取り外して記録を行うことが可能な請求項１に記載のインクジェット記録装置。
【請求項３】
前記第１のインク収容部材を取り外して記録を行う際に、前記第１のインク収容部材が配置されていた領域に前記第１のインク収容部材とは別の部材を配置する請求項２に記載のインクジェット記録装置。
【請求項４】
インク補充口を有さない第３のインク収容部材を有し、前記インクは、前記第２のインク収容部材から前記第３のインク収容部材へと供給され、さらに前記第３のインク収容部材から前記吐出ヘッドへと供給される請求項１乃至３のいずれか１項に記載のインクジェット記録装置。
【請求項５】
前記第２のインク収容部材と前記第３のインク収容部材とは、チューブによって接続されている請求項４に記載のインクジェット記録装置。
【請求項６】
前記吐出ヘッドは、前記第１のインク収容部材及び前記第３のインク収容部材の重力方向下方に設けられている請求項４または５に記載のインクジェット記録装置。
【請求項７】
前記第３のインク収容部材と前記吐出ヘッドとは一体である請求項４乃至６のいずれか１項に記載のインクジェット記録装置。
【請求項８】
前記第３のインク収容部材と前記吐出ヘッドとは一体になっていない請求項４乃至６のいずれか１項に記載のインクジェット記録装置。
【請求項９】
前記第１のインク収容部材の重力方向下方の吐出ヘッドと、前記第３のインク収容部材の重力方向下方の吐出ヘッドとは共通した吐出ヘッドである請求項８に記載のインクジェット記録装置。
【請求項１０】
前記第３のインク収容部材は、前記第１のインク収容部材より前記第２のインク収容部材に近い位置にある請求項４乃至９のいずれか１項に記載のインクジェット記録装置。
【請求項１１】
前記吐出ヘッドは、前記第１のインク収容部材及び前記第２のインク収容部材の重力方向下方に設けられている請求項１乃至３のいずれか１項に記載のインクジェット記録装置。
【請求項１２】
前記第２のインク収容部材にインクを補充する際に、前記第２のインク収容部材と前記吐出ヘッドとは、インクジェット記録装置の記録媒体の搬送方向と直交する方向において同じ側に位置している請求項１乃至１１のいずれか１項に記載のインクジェット記録装置。
【請求項１３】
前記第２のインク収容部材にインクを補充する際に、前記第２のインク収容部材と前記吐出ヘッドとは、インクジェット記録装置の記録媒体の搬送方向と直交する方向において反対側に位置している請求項１乃至１１のいずれか１項に記載のインクジェット記録装置。
【請求項１４】
前記第１のインク収容部材を交換する際に、前記第２のインク収容部材と前記吐出ヘッドとは、インクジェット記録装置の記録媒体の搬送方向と直交する方向において同じ側に位置している請求項１乃至１３のいずれか１項に記載のインクジェット記録装置。
【請求項１５】
前記第１のインク収容部材を交換する際に、前記第２のインク収容部材と前記吐出ヘッドとは、インクジェット記録装置の記録媒体の搬送方向と直交する方向において反対側に位置している請求項１乃至１３のいずれか１項に記載のインクジェット記録装置。
【請求項１６】
前記第２のインク収容部材にインクを補充する際に、前記第１のインク収容部材は前記筐体で覆われている請求項１乃至１５のいずれか１項に記載のインクジェット記録装置。
【請求項１７】
前記第１のインク収容部材はブラックインクを収容し、前記第２のインク収容部材はカラーインクを収容する請求項１乃至１６のいずれか１項に記載のインクジェット記録装置。
【請求項１８】
複数のインクのうち、前記第１のインク収容部材は最も粘度が高いインクを収容し、前記第２のインク収容部材は前記第１のインク収容部材が収容する前記インクよりも粘度が低いインクを収容する請求項１乃至１６のいずれか１項に記載のインクジェット記録装置。
【請求項１９】
前記第１のインク収容部材は顔料インクを収容し、前記第２のインク収容部材は染料インクを収容する請求項１乃至１６のいずれか１項に記載のインクジェット記録装置。
【請求項２０】
前記第１のインク収容部材は白インクまたはメタリックインクを収容し、前記第２のインク収容部材はブラックインクまたはカラーインクを収容する請求項１乃至１６のいずれか１項に記載のインクジェット記録装置。
【発明の詳細な説明】
【技術分野】
【０００１】
本発明は、インクジェット記録装置に関するものである。
【背景技術】
【０００２】
インクを吐出することで記録を行うインクジェット記録装置として、インクを吐出する吐出ヘッドと、吐出ヘッドに供給するインクを収容するインク収容部材とを備えたインクジェット記録装置がある。特許文献１には、吐出によって消費されるインクを、ユーザーがインクボトルからインク収容部材に補充することができるインクジェット記録装置が記載されている。
【先行技術文献】
【特許文献】
【０００３】
【特許文献１】特開２０１８−６９６９６号公報
【発明の概要】
【発明が解決しようとする課題】
【０００４】
特許文献１に記載されているようなインクジェット記録装置では、インクを補充するインクボトルの容量や、注入されるインク収容部材の容量を増やすことが容易である。従って、インク収容部材として一般的なインクカートリッジを用いるインクジェット記録装置と比較して、インクの補充（インクカートリッジの場合は交換）頻度が減り、ユーザビリティが向上しやすい。
【０００５】
しかしながら、本発明者らの検討によれば、インクを補充するタイプのインク収容部材からは、インク中の水分の蒸発が進みやすいという課題があることが分かった。インクを補充可能なインク収容部材は、インクを補充するためのインク補充口を有している。通常、インク補充口は栓部材によってキャップされているが、栓部材及びその周辺から水分の蒸発が進むものと推測される。また、インクを補充可能なインク収容部材は、一般的に大容量であるが故に、インクが補充されないまま長期間放置されることも多い。このような場合には、インク収容部材からの水分の蒸発量が多くなる。以上のようにして、インク収容部材中のインクから水分の蒸発が進むと、収容するインクの濃度（例えば色材濃度）が高くなる。このようなインクを吐出ヘッドに供給して吐出（記録）を行うと、記録画像や文字の濃さ、色合い等が所望のものではなくなってしまう場合がある。
【０００６】
従って、本発明は、インクを補充可能なインク収容部材を用いてユーザビリティを向上させた場合であっても、水分の蒸発による記録画像や文字の濃さや色合いの変化を抑制することが可能なインクジェット記録装置を提供することを目的とする。
【課題を解決するための手段】
【０００７】
上記の課題を解決する本発明は、インクを吐出する吐出ヘッドと、前記吐出ヘッドを内部に備える筐体と、を有するインクジェット記録装置であって、前記筐体は、インクを収容する第１のインク収容部材及び第２のインク収容部材を内部に備え、前記第１のインク収容部材及び前記第２のインク収容部材から、前記吐出ヘッドにインクが供給され、前記第１のインク収容部材は、栓部材を開けることでインクを補充可能なインク補充口を有さず、インクジェット記録装置に対して着脱可能なインクカートリッジであり、前記第２のインク収容部材は、前記インク補充口を有することを特徴とするインクジェット記録装置である。
【発明の効果】
【０００８】
本発明によれば、インクを補充可能なインク収容部材を用いてユーザビリティを向上させた場合であっても、水分の蒸発による記録画像や文字の濃さや色合いの変化を抑制することが可能なインクジェット記録装置を提供することができる。
【図面の簡単な説明】
【０００９】
【図１】インクジェット記録装置の斜視図。
【図２】インクジェット記録装置の斜視図。
【図３】第１のインク収容部材を示す図。
【図４】第１、第２、及び第３のインク収容部材を示す図。
【図５】第１のインク収容部材及び第２のインク収容部材を示す図。
【図６】第１のインク収容部材及び第３のインク収容部材を示す図。
【図７】第１、第２、第３、及び第４のインク収容部材を示す図。
【発明を実施するための形態】
【００１０】
以下、本発明のインクジェット記録装置について、図面を用いつつ説明する。図１に、本発明のインクジェット記録装置の斜視図の一例を示す。図１（ａ）に示すように、インクジェット記録装置１は、筐体２と、筐体２の上面に設けられたカバー部材３とを有する。図１（ｂ）は、インクジェット記録装置のカバー部材３を開いて、筐体２の内部を見えるようにした図である。筐体２は略直方体の形状であり、後方に給紙トレイ４を備えている。図１（ｂ）では、給紙トレイ４を筐体２から伸ばした状態を示している。
【００１１】
図２は、図１（ｂ）のインクジェット記録装置の筐体の内部をより見やすく示した図であり、筐体の外壁を省略して筐体の内部を示している。図１でも示したように、筐体は後方側に給紙トレイ４を備えている。給紙トレイ４には紙等の記録媒体が配置される。
【００１２】
筐体は、第１のインク収容部材８及び第２のインク収容部材９を内部に備える。また、ここで示す例では、筐体の内部に第３のインク収容部材１０が備えられている。第３のインク収容部材１０には、インクが第２のインク収容部材９から供給される。第１のインク収容部材８及び第３のインク収容部材１０の重力方向下方には、それぞれ吐出ヘッド（図２では不図示）が設けられている。インクは、第１のインク収容部材８及び第３のインク収容部材１０から、それぞれが接続する吐出ヘッドに供給される。尚、本明細書における重力方向とは図２に示すｚ方向であり、インクジェット記録装置の使用時における重力方向を意味する。吐出ヘッドには、インクを吐出する吐出口や、吐出のためのエネルギーを発生させるエネルギー発生素子が設けられている。吐出ヘッドは、図２中のｙ方向に往復移動しながら、吐出口からインクを吐出する。
【００１３】
給紙トレイ４に配置された記録媒体は、給紙ローラ５及び搬送ローラ６によって前方であるｘ方向に送られ、プラテン７へと到達するとプラテン７によって支持される。プラテン７で支持された記録媒体は、吐出ヘッドと対向した位置に配置される。この状態で、吐出ヘッドから記録媒体に対してインクの吐出が行われる。吐出されたインクは記録媒体に着弾し、記録媒体に画像等が記録される。
【００１４】
吐出ヘッドの吐出口が開口する吐出口面には、インクが付着することがある。この為、吐出口面は、筐体の内部に設けられたワイパー１１やキャップ１２といった回復手段によって、クリーニングすることができるようになっている。
【００１５】
次に、第１のインク収容部材８について説明する。第１のインク収容部材８は、筐体の内部に備えられている。ここでは、第１のインク収容部材８が、シアン、マゼンタ、イエローのカラーのカラーインクを収容している例を説明する。図３に、第１のインク収容部材８の拡大図を示す。図３（ａ）は、第１のインク収容部材８の上蓋を除去した様子を示す図であり、インク収容部８ａにシアンのインク、インク収容部８ｂにマゼンタのインク、インク収容部８ｃにイエローのインクを収容している。また、第１のインク収容部材８は、吐出ヘッドに外部から電力を供給する電気配線部材１３を有している。
【００１６】
図３（ｂ）は、第１のインク収容部材８の分解図であり、図３（ａ）とは異なる角度から第１のインク収容部材８を見た状態を示した図である。第１のインク収容部材８のインク収容部８ａ、インク収容部８ｂ、及びインク収容部８ｃには、それぞれインク吸収体１４ａ、１４ｂ、及び１４ｃが配置されている。インク吸収体はスポンジ状になっており、インクを含んでいる。各インク収容部の重力方向下方には、それぞれフィルタ１５ａ、１５ｂ、及び１５ｃが配置されている。第１のインク収容部材８の重力方向下方には、吐出ヘッド１６が設けられている。吐出ヘッド１６は、エネルギー発生素子や吐出口を有しており、支持部材１７上に配置されている。図３に示す例では、吐出ヘッド１６は上記カラー３色に対応した吐出口列を有している。尚、本例の吐出ヘッド１６は記録素子基板とも呼称され、支持部材１７を介して第１のインク収容部材８に接着されて第１のインク収容部材８と一体となっており、電気配線部材１３から供給された電力によって駆動するものである。第１のインク収容部材８は、インクジェット記録装置から単独で着脱可能なインクカートリッジであり、ユーザーが外部からインクを補充するためのインク補充口や、かかるインク補充口を塞ぐ栓部材を有していない。
【００１７】
次に、第２のインク収容部材９について説明する。第２のインク収容部材９も、第１のインク収容部材８と同様に、筐体の内部に備えられている。但し、第１のインク収容部材８はインクを補充可能なインク補充口及び栓部材を有していないのに対して、第２のインク収容部材９は、インクを補充可能なインク補充口及び栓部材を有している。図４は、第２のインク収容部材９、及び第２のインク収容部材９へのインクの供給系を示す図である。図４（ａ）では、第２のインク収容部材９に加えて、第１のインク収容部材８及び第３のインク収容部材１０もあわせて示している。図４（ｂ）は、第２のインク収容部材９及び第３のインク収容部材１０を模式的に示した図である。上述したように、第２のインク収容部材９は、インクを補充可能なインク補充口９ａを有するインクタンクである。インク補充口９ａは、栓部材９ｂによって栓がされている。栓部材９ｂは、例えばゴムで形成されている。ユーザーは、栓部材９ｂを開けることでインク補充口９ａを開口させ、開口させたインク補充口９ａにインクボトル２０を差し込む。インクボトル２０はインクを収容しており、インクボトルから第２のインク収容部材へとインクが供給される。このようにして、第２のインク収容部材９への外部カラーインクの補充が行われる。
【００１８】
図４に示すように、第２のインク収容部材９は、チューブ１８によって第３のインク収容部材１０と接続口１９で接続されている。第２のインク収容部材９が収容するインクは、チューブ１８を介して、第３のインク収容部材１０へと供給される。ここでは、第２のインク収容部材９及び第３のインク収容部材１０が、ブラックインクを収容した例を示している。第３のインク収容部材１０は、内部が３部屋に分かれておらず１部屋のみであり、対応するフィルタも１つであるが、基本的には上述の第１のインク収容部材８と同様の構成である。即ち、第３のインク収容部材１０の重力方向下方には、第３のインク収容部材１０と一体となった吐出ヘッド１６が設けられている。吐出ヘッド１６は第３のインク収容部材１０と内部で連通しており、第３のインク収容部材１０から供給されたインクを吐出する。
【００１９】
筐体の内部に設けた第１のインク収容部材８は、栓部材を開けることでインクを補充可能なインク補充口を有さず、インクジェット記録装置に対して着脱可能なインクカートリッジである。一方、同様に筐体の内部に設けた第２のインク収容部材９は、第２のインク収容部材９内にインクを補充可能なインク補充口を有するインク収容部材である。
【００２０】
第１のインク収容部材８には、例えば使用頻度の低いカラーインク（イエロー、シアン、マゼンタ等の色のインク）を収容するようにする。このようなインクはインク消費量が少ないことが多いので、第１のインク収容部材８にはインク補充口を設ける必要がない。従って、インク補充口からの水分の蒸発による、記録画像や文字の濃さや色合いの変化を抑制することができる。また、インクジェット記録装置に対して着脱可能なインクカートリッジであるから、インクを収容したまま長期間放置され、水分の蒸発が進むことも抑制できる。
【００２１】
一方、第２のインク収容部材９には、例えば使用頻度の高いブラックインク（ブラックの色のインク）を収容するようにする。このようなインクはインク消費量も多いので、インク補充口を設けてインクを補充できるようにし、ユーザビリティを向上させることができる。
【００２２】
即ち、インクジェット記録装置が上述のような第１のインク収容部材８及び第２のインク収容部材９を有することによって、あるインクは補充可能な構成としながら、他のインクは水分の蒸発が発生しにくい構成になっている。即ち、インクジェット記録装置全体として、インクを補充によるユーザビリティの向上と、水分の蒸発による記録画像や文字の濃さや色合いの変化の抑制を達成している。
【００２３】
尚、第１のインク収容部材８及び第２のインク収容部材９が収容するインクは、使用頻度のみによって決定されるものではない。この点については後で詳述する。
【００２４】
本発明では、第１のインク収容部材８及び第２のインク収容部材９は、筐体の内部に備えられている。例えばインク補充口を有する第２のインク収容部材９が、筐体の外部に設けられているような構成だと、インクジェット記録装置全体の大型化につながり、ユーザビリティが低下しやすくなる。また、第２のインク収容部材９が筐体の外部に設けられていると、第２のインク収容部材９から吐出ヘッドにインクを供給する距離が長くなる。インクを供給する距離が長くなるということは、その分インクから水分が蒸発しやすくなるので、記録画像等への影響が出てしまう。
【００２５】
第１のインク収容部材８は、インクからの水分蒸発を抑制するために、第１のインク収容部材から吐出ヘッドまでの間にチューブや継手を有さないことが好ましい。水分の蒸発は、記録画像への影響もあるが、インク固着による吐出ヘッドのインク詰まりにもつながる。このようなことが発生しても、第１のインク収容部材８はインクカートリッジである為、インクジェット記録装置から取り外して個別に交換することができる。
【００２６】
第１のインク収容部材８はインクカートリッジであるから、例えばインクジェット記録装置から第１のインク収容部材８を取り外し、補充口を有する第２のインク収容部材９が収容するインクのみによって記録を行うことが可能とすることが好ましい。上述の例では、第２のインク収容部材９はブラックインクを収容している。この場合、第１のインク収容部材８を取り外して記録を行うと、ブラックインクによってモノクロの画像を記録する記録装置として使用することができる。尚、このような場合には、インクジェット記録装置の第１のインク収容部材８を配置していた領域に、第１のインク収容部材８とは別の部材（ダミー部材）を配置しておくことが好ましい。
【００２７】
第２のインク収容部材９として、チューブを介して吐出ヘッドを有する第３のインク収容部材１０にインクを供給する部材を説明したが、第２のインク収容部材９はこのような部材に限られるわけではない。例えば、第２のインク収容部材９もインクカートリッジとして、第３のインク収容部材１０を設けないようにすることもできる。図５は、インクジェット記録装置の筐体の内部に配置される第１のインク収容部材８及び第２のインク収容部材９を拡大し、重力方向の上方から見た図である。第１のインク収容部材８及び第２のインク収容部材９は、キャリッジ２１上に設けられており、それぞれ重力方向下方に吐出ヘッドを有する。第１のインク収容部材８及び第２のインク収容部材９は、キャリッジ２１上をｙ方向に移動しながらインクを吐出する。この形態では、インクジェット記録装置は第３のインク収容部材１０を有さず、第１のインク収容部材８及び第２のインク収容部材９が、いずれもインクカートリッジとなっている。但し、栓部材を開けることでインクボトル２０からインクを補充可能なインク補充口は、第２のインク収容部材９は有している（インク補充口９ａ）が、第１のインク収容部材８は有していない。このようなインクジェット記録装置であっても、ユーザビリティを向上させつつ、水分の蒸発による記録画像や文字の濃さや色合いの変化を抑制することができる。また、この構成であれば、インクがなくなった場合にユーザーがアクセスする場所は、いずれの収容部材もキャリッジ２１上の隣接した場所となる。従って、ユーザビリティが向上しやすく、またインクジェット記録装置の小型化にもつながる。但し、第２のインク収容部材９がインクカートリッジである為、第２のインク収容部材９が収容するインクの容量を増やすという点では、図４で説明した形態のインクジェット記録装置の方が好ましい。
【００２８】
次に、第２のインク収容部材９にインクを補充する際の、吐出ヘッドの位置について説明する。上述したように、図２に示す状態では、第１のインク収容部材８及び第３のインク収容部材１０の重力方向下方に吐出ヘッドがある。この状態では、インクジェット記録装置１の記録媒体の搬送方向と直交する方向（ｙ方向）において、第２のインク収容部材９と吐出ヘッドとは同じ側（−ｙ側）にある。このような状態で第２のインク収容部材９にインクを補充するようにすれば、同時に吐出ヘッド上の第１のインク収容部材８や第３のインク収容部材１０を取り換えることもできる。即ち、ユーザーにとってみれば、インクの補充（交換）を一度にしやすくなる。例えば、第２のインク収容部材９にインクを補充する際（例えば補充することをユーザーが入力、或いは栓部材を開けたことを記録装置が検知）したときに、キャリッジ上の吐出ヘッドの位置を走査することで、このような構成とすることができる。また、第１のインク収容部材８や第３のインク収容部材１０を交換する際にも、第２のインク収容部材９と吐出ヘッドとが同じ側にあると、インクの補充（交換）を一度にしやすくなる。
【００２９】
一方、図２に示す状態において、吐出ヘッドを＋ｙ側の端部によせておくこともできる。即ち、インクジェット記録装置１のｙ方向において、第２のインク収容部材９と吐出ヘッドとは反対側（−ｙ側と＋ｙ側）にある。このような状態で第２のインク収容部材９にインクを補充するようにすれば、第２のインク収容部材９にインクを補充する際に、吐出ヘッドや第１のインク収容部材８、第３のインク収容部材１０にインクが付着しにくくなる。また、第２のインク収容部材９と吐出ヘッドとが反対側にあると、例えば第２のインク収容部材９にインクを補充する際に、誤って第１のインク収容部材８や第３のインク収容部材１０を交換してしまうことを抑制できる。同様に、第１のインク収容部材８や第３のインク収容部材１０を交換しようとした際に、誤って第２のインク収容部材９の栓部材を開けてインクを補充してしまうことを抑制できる。また、この点から、第２のインク収容部材９と吐出ヘッドとがｙ方向の同じ側にある場合でも、反対側にある場合であっても、第２のインク収容部材９にインクを補充する際に、吐出ヘッドにユーザーがアクセスしにくいようにしておくことが好ましい。例えば、第２のインク収容部材９にインクを補充する際に、吐出ヘッドや第１のインク収容部材８、第３のインク収容部材１０が、筐体の部材等で覆われる構成とすることが好ましい。同様に、第１のインク収容部材８や第３のインク収容部材１０を交換する際には、第２のインク収容部材９が筐体の部材等で覆われる構成とすることが好ましい。
【００３０】
インクジェット記録装置の別の形態について説明する。図６（ａ）は、図５と同様にキャリッジ上のインク収容部材を示す図であるが、キャリッジ２１上には、第１のインク収容部材８と第３のインク収容部材１０とが設けられている。第１のインク収容部材８は、インク補充口を有しておらず、インクジェット記録装置に対して着脱可能なインクカートリッジである。第３のインク収容部材１０は、収容部材１０Ｙ、収容部材１０Ｍ、収容部材１０Ｃ、収容部材１０Ｂｋの４つの収容部材からなり、それぞれイエロー、マゼンタ、シアン、ブラックインクを収容している。第３のインク収容部材１０は、チューブ１８によって筐体内の第２のインク収容部材（不図示）と接続している。第２のインク収容部材は、図４で説明したようなインク補充口を有する収容部材であり、各色に対応する４つのインク収容部を有している。第２のインク収容部材には、インク収容部毎に４つのインク補充口が設けられており、インクボトルから色毎にインクを補充できるようになっている。第１のインク収容部材８は、上述の４色以外のインクを収容している。第３のインク収容部材１０の重力方向下方には、各収容部材１０で共通の吐出ヘッド１６が設けられている。但し、第３のインク収容部材１０と吐出ヘッド１６は一体になっておらず、第３のインク収容部材１０は、吐出ヘッド１６とは別に取り外して着脱や交換をすることができる。第１のインク収容部材８の重力方向下方にも、吐出ヘッド（不図示）が設けられている。第１のインク収容部材８の重力方向下方の吐出ヘッドは、図４（ｂ）で示すような、第１のインク収容部材８と一体となった吐出ヘッドである。
【００３１】
図６（ｂ）は、図６（ａ）と基本的には同じ構成であるが、第１のインク収容部材８の重力方向下方の吐出ヘッドが、第３のインク収容部材１０の重力方向下方の吐出ヘッドと共通した吐出ヘッド１６である。本例では、第１のインク収容部材８と吐出ヘッド１６とは一体になっておらず、第１のインク収容部材８も第３のインク収容部材と同様に、吐出ヘッド１６とは別に取り外して着脱することができる。また、本例における第１のインク収容部材８は、第３のインク収容部材１０と同様に、チューブ１８によって補充口を有する第２のインク収容部材（不図示）と接続している。このような構成とすることで、図６（ａ）で示す構成よりも、キャリッジ２１を小さくし、インクジェット記録装置全体としても小型化しやすくなる。但し、各インク収容部材で共通の吐出ヘッド１６を用いているため、例えば吐出ヘッド１６のある色のインクを吐出する部分のみの交換が必要な場合であっても、他のインクを吐出する部分を含めて、吐出ヘッド１６を一括交換する必要がある。
【００３２】
図６（ａ）の構成では、第２のインク収容部材を省略しているが、第２のインク収容部材は図面上の右側にある。即ち、第２のインク収容部材からみて、第３のインク収容部材１０は、第１のインク収容部材８よりも、第２のインク収容部材に近い位置にある。第１のインク収容部材８はインクカートリッジであるが、第２のインク収容部材と第３のインク収容部材１０との間には、チューブ等のインクの供給経路が必要となり、供給経路から水分の蒸発が考えられる。この為、第３のインク収容部材１０を、第１のインク収容部材８よりも第２のインク収容部材に近い位置に配置することで、第２のインク収容部材から第３のインク収容部材１０までの距離をなるべく近くすることができる。即ち、インク中の水分の供給経路からの蒸発量を少なくすることができる。
【００３３】
図６（ｂ）に示す構成でも、第２のインク収容部材は図面上の右側にある。図６（ｂ）に示すように、同一の吐出ヘッド１６上に第１のインク収容部材８及び第３のインク収容部材１０がある場合、第３のインク収容部材１０を第１のインク収容部材８よりも第２のインク収容部材に近い位置とすることが、水分蒸発抑制の点で好ましい。
【００３４】
本発明のインクジェット記録装置のさらに別の形態について説明する。図７は各インク収容部材を模式的に示す図であり、図７の中央には、図５と同様にキャリッジ２１及びキャリッジ２１上のインク収容部材を示している。キャリッジ２１上には、第３のインク収容部材１０と、第４のインク収容部２２とが設けられている。第３のインク収容部材１０は、収容部材１０Ｙ、収容部材１０Ｍ、収容部材１０Ｃ、収容部材１０Ｂｋの４つの収容部材からなり、それぞれイエロー、マゼンタ、シアン、ブラックインクを収容している。第３のインク収容部材１０及び第４のインク収容部２２の重力方向下方の吐出ヘッドは、共通した吐出ヘッド１６である。各収容部材は、吐出ヘッド１６とは別に着脱することができる。第３のインク収容部材１０は、チューブ１８によって筐体内の第２のインク収容部材９と接続している。第２のインク収容部材９は、収容部材９Ｙ、収容部材９Ｍ、収容部材９Ｃ、収容部材９Ｂｋの４つの収容部材からなり、それぞれイエロー、マゼンタ、シアン、ブラックインクを収容している。即ち、収容部材１０Ｙ、収容部材１０Ｍ、収容部材１０Ｃ、収容部材１０Ｂｋは、それぞれ収容部材９Ｙ、収容部材９Ｍ、収容部材９Ｃ、収容部材９Ｂｋとチューブ１８によって接続されている。収容部材９Ｙ、収容部材９Ｍ、収容部材９Ｃ、収容部材９Ｂｋには、それぞれインク補充口９Ｙａ、インク補充口９Ｍａ、インク補充口９Ｃａ、インク補充口９Ｂｋａが設けられており、インクボトル２０からインクを補充できるようになっている。インクボトル２０も、インクボトル２０Ｙ、インクボトル２０Ｍ、インクボトル２０Ｃ、インクボトル２０Ｂｋの４種類が用いられる。第４のインク収容部材２２は、チューブ１８を介して第１のインク収容部材８と接続している。第１のインク収容部材８も筐体内に設けられている。チューブ１８の先端部２３から第１のインク収容部材８を抜きとることで、第１のインク収容部材８をインクジェット記録装置に対して着脱することができる。即ち、本例における第１のインク収容部材８も、インクジェット記録装置に対して着脱可能なインクカートリッジである。第１のインク収容部材８及び第４のインク収容部材２２には、インク補充口は設けられていない。この為、インクからの水分の蒸発をより抑制することができる。また、この構成によると、吐出ヘッド１６によってインクの吐出（記録）を行っているタイミングであっても、第１のインク収容部材８をインクジェット記録装置から着脱して交換することができる。さらに、第１のインク収容部材８によって、キャリッジ上では増やしにくい第４のインク収容部材２２が収容するインクの量を、第４のインク収容部材２２の外部に増やすことができる。
【００３５】
第１のインク収容部材が収容するインクと、第２のインク収容部材とが収容するインクについて説明する。各収容部材が収容するインクは特に限定する必要はない。但し、第１のインク収容部材がインク補充口を有さないインクカートリッジであり、第２のインク収容部材がインク補充口を有する収容部材であるから、それぞれの収容部材の特性を考慮して、収容するインクとして好ましいインクがある。以下、詳細に説明する。
【００３６】
第１のインク収容部材が収容するインクを第１のインク、第２のインク収容部材が収容するインクを第２のインクとする。第１のインク収容部材はインク補充口を有さないインクカートリッジであるから、水分の蒸発が進みにくい。この為、水分の蒸発によって記録画像に影響を与えやすいインクを収容することが好ましい。このようなインクとしては、粘度が高いインクが挙げられる。複数のインクからなるインクセットを想定しときに、第１のインクを粘度が最も高いインクを収容し、第２のインクを第１のインクよりも粘度が低いインクとすることが好ましい。また、色材として顔料を含む顔料インクは、色材として染料を含む染料インクよりも、水分の蒸発によってインクの固着（色材の凝集）が進みやすく、記録画像に影響を与えやすい。この為、インクセットを想定したときに、第１のインクを顔料インク、第２のインクを染料インクとすることが好ましい。
【００３７】
また、色材の沈降速度が早いインクは、インクカートリッジに収容し、色材が沈降してもインクカートリッジを取り外して撹拌したり、交換したりできる構成とすることが好ましい。少なくとも第１のインク収容部材は、インクカートリッジである。第２のインク収容部材がインクカートリッジでない場合、インクセットにおいて色材の沈降速度が速いインクを第１のインクとし、第２のインクは第１のインクよりも色材の沈降速度が遅いインクとする。色材の沈降速度が早いインクとしては、比重が高い色材を使用しているインクや、色材濃度が高いインク、色材の数平均粒子径が大きいインクが挙げられる。即ち、インクセットの中で、比重が最も高い色材を使用しているインク、または色材濃度が最も高いインク、または色材の数平均粒子径が最も大きいインクを第１のインクとすることが好ましい。このような第１のインクとしては、色材として例えば酸化チタンを含む白インクや、金や銀のコロイドを含むメタリックインクが挙げられる。この場合、第２のインクはブラックインクまたはカラーインク（シアン、マゼンタ、イエローのインク）であることが好ましい。また、第１のインクとしてこのような色材の沈降速度が速いインクを用いた場合、第１のインク収容部材のインク収容部に、インクを撹拌する撹拌機構（例えば撹拌板）を設けることが好ましい。
【００３８】
インクジェット記録装置には、記録媒体にシアン、マゼンタ、イエロー、ブラック等のインクを付与する前、またはこれらのインクを付与した後に、これらのインクと反応する反応液を付与するものがある。反応液はこれらのインク中の色材を凝集させる作用を有しており、記録画像の定着性を向上させることができる。このような反応液は消費量が多い為、反応液を収容する収容部材には補充口を設けておくことが好ましい。また、反応液は一般的に無色であり、蒸発による課題も少ない。この為、補充口を有する収容部材（第２のインク収容部材）に反応液を収容し、補充口を有さない収容部材（第１のインク収容部材）に通常のシアン、マゼンタ、イエロー、ブラック等のインクを収容することが好ましい。尚、反応液を収容する第２のインク収容部材は、反応液を吐出ヘッドではなく例えば塗布ローラ等の別の付与部材に供給するような構成としてもよい。
【符号の説明】
【００３９】
２  筐体
８  第１のインク収容部材
９  第２のインク収容部材
９ａ  インク補充口
９ｂ  栓部材
１０  第３のインク収容部材
１６  吐出ヘッド
【図１】
2020168832.tif 000003
【図２】
2020168832.tif 000004
【図３】
2020168832.tif 000005
【図４】
2020168832.tif 000006
【図５】
2020168832.tif 000007
【図６】
2020168832.tif 000008
【図７】
2020168832.tif 000009